(57)【要約】      （修正有）【課題】女性の陰部の被測定ガスを検出する婦人疾患検出用のガス検出システムを提供する。【解決手段】ガス検出システムは、胴部と該胴部に突設されたヘッド１２とを含み、該ヘッドに吸気通路が穿設され、該胴部が検出チャンバ及び排気通路を含む本体と、該ヘッドに取り外し可能に外嵌されたスリーブ２０と、少なくとも１つのセンサを含み、該少なくとも１つのセンサが該被測定ガスのうちの少なくとも１つの検知対象を検知し、少なくとも１つの検知信号を生成する検出モジュール３０と、該検出チャンバ及び該排気通路にそれぞれ連通するガスポンプ４０と、処理ユニット５１及び第１通信ユニット５２を含み、該処理ユニットが該少なくとも１つの検知信号を受信し、該第１通信ユニットを制御して該少なくとも１つの検知信号を送信する制御モジュール５０とを含む。【選択図】図３
0003232718.tif 000002
【実用新案登録請求の範囲】
【請求項１】
女性の陰部の被測定ガスを検出する婦人疾患検出用のガス検出システムであって、
胴部と前記胴部に突設されたヘッドとを含み、前記ヘッドに前記被測定ガスを供給する吸気通路が穿設され、前記胴部が前記吸気通路に連通する検出チャンバ及び排気通路を含む本体と、
前記ヘッドに取り外し可能に外嵌され、前記吸気通路に対応する貫通溝を含むスリーブと、
少なくとも１つの前記検出チャンバ内に設けられたセンサを含み、前記少なくとも１つのセンサが前記被測定ガスのうちの少なくとも１つの検知対象を検知し、少なくとも１つの検知信号を生成する検出モジュールと、
前記本体に設けられ、且つ前記検出チャンバ及び前記排気通路にそれぞれ連通するガスポンプと、
前記検出モジュール及び前記ガスポンプの動作を制御し、処理ユニットと、前記処理ユニットに通信する第１通信ユニットとを含み、前記処理ユニットが、前記少なくとも１つの検知信号を受信し、前記第１通信ユニットを制御して前記少なくとも１つの検知信号を送信する制御モジュールと、を含む、
婦人疾患検出用のガス検出システム。
【請求項２】
前記スリーブ及び前記ヘッドのうち、少なくとも一方には、前記吸気通路に対応する濾材が設けられる、請求項１に記載の婦人疾患検出用のガス検出システム。
【請求項３】
前記本体は、第１ケース、第２ケース及び前記第１ケースと前記第２ケースとの間に介在する第３ケースをさらに含み、前記第１ケースと前記第３ケースは囲まれて前記検出チャンバを構成する、請求項１に記載の婦人疾患検出用のガス検出システム。
【請求項４】
前記本体は、収容チャンバと、前記検出チャンバと前記収容チャンバとの間に連通する第１連通路とをさらに含み、前記ガスポンプ及び前記制御モジュールは前記収容チャンバに設けられ、前記ガスポンプの吸気管路は前記第１連通路に接続される、請求項１に記載の婦人疾患検出用のガス検出システム。
【請求項５】
前記本体は、前記収容チャンバと前記排気通路との間に連通する第２連通路をさらに含み、前記ガスポンプの排気管路は前記第２連通路に接続される、請求項４に記載の婦人疾患検出用のガス検出システム。
【請求項６】
前記排気通路と前記第２連通路との間に、緩衝室がさらに設けられる、請求項５に記載の婦人疾患検出用のガス検出システム。
【請求項７】
前記本体と前記スリーブとの間に設けられた当接退避機構をさらに含み、前記当接退避機構は、前記胴部に設けられた押し当て部材を含み、前記押し当て部材は前記ヘッドから離れた方向へ前記スリーブを押し当てる、請求項１に記載の婦人疾患検出用のガス検出システム。
【請求項８】
前記胴部は、軸方向に延びる直線部と、前記直線部から、前記軸方向から離れた一側に延びる屈曲部とを含み、前記ヘッドは前記屈曲部に接続される、請求項１に記載の婦人疾患検出用のガス検出システム。
【請求項９】
前記スリーブ及び前記ヘッドのうち、少なくとも一方には、前記吸気通路に対応する濾材が設けられ、少なくとも１つの前記濾材は防水通気性膜であり、前記スリーブと前記ヘッドとの間に、少なくとも１つの第１シール部材が設けられ、前記本体は、第１ケース、第２ケース及び前記第１ケースと前記第２ケースとの間に介在する第３ケースをさらに含み、前記第１ケースと前記第３ケースは囲まれて前記検出チャンバを構成し、前記第１ケースと前記第３ケースとの間に、第２シール部材がさらに設けられ、前記第２シール部材の形状は少なくとも部分的に前記検出チャンバ、前記収容チャンバ及び前記緩衝室の形状に対応し、前記ガス検出システムは、前記本体と前記スリーブとの間に設けられた当接退避機構をさらに含み、前記当接退避機構は、前記胴部に設けられた押し当て部材を含み、前記押し当て部材は前記ヘッドから離れた方向へ前記スリーブを押し当て、前記当接退避機構は、前記本体と前記押し当て部材との間に弾性的に当接する弾性部材をさらに含み、前記スリーブには第１係合部が設けられ、前記押し当て部材及び前記ヘッドのうち、一方には、前記第１係合部に係合可能な第２係合部が設けられ、前記胴部は、軸方向に延びる直線部と、前記直線部から、前記軸方向から離れた一側に延びる屈曲部とを含み、前記ヘッドは前記屈曲部に一体的に接続され、前記第３ケースには、前記検出チャンバと前記収容チャンバとの間にある第１ボスと、前記緩衝室と前記収容チャンバとの間にある第２ボスとが記第１ケースに向かって延びて突設され、前記第１連通路には前記第１ボスが延びて挿通され、前記第２連通路には前記第２ボスが延びて挿通され、前記第２連通路及び前記排気通路は互いに直交に延び、それぞれ前記緩衝室の対向する両側に連通し、前記ガスポンプはマイクロポンプであり、前記制御モジュールは、前記処理ユニットに電気的に接続され、前記収容チャンバに収容された蓄電池及び外部電源が接続する電気的ソケットを含む給電ユニットをさらに含み、前記電気的ソケットと前記本体との間には第３シール部材が設けられる、請求項６に記載の婦人疾患検出用のガス検出システム。
【請求項１０】
前記処理ユニットに通信する分析モジュールをさらに含み、前記分析モジュールは前記少なくとも１つの検知信号に基づいて検出結果情報を取得する、請求項１〜９のいずれか１項に記載の婦人疾患検出用のガス検出システム。
【請求項１１】
外部装置をさらに含み、前記外部装置には、前記分析モジュールと、前記第１通信ユニットに通信可能な第２通信ユニットとが設けられ、前記第１通信ユニット及び前記第２通信ユニットは無線通信である、請求項１０に記載の婦人疾患検出用のガス検出システム。
【請求項１２】
前記分析モジュールは、複数の標準ガススペクトルを記憶するデータベースをさらに含み、前記分析モジュールは、前記少なくとも１つの検知信号をガススペクトルに変換し、前記複数の標準ガススペクトルと比較し、前記検出結果情報を取得する、請求項１０に記載の婦人疾患検出用のガス検出システム。
【考案の詳細な説明】
【技術分野】
【０００１】
本考案はガス検出システムに関し、特に婦人疾患検出用のガス検出システムに関する。
【背景技術】
【０００２】
女性の陰部に関連する婦人科疾患は、通常、陰部の感染や炎症につながり、一般的な膣炎は、その発症の原因により、真菌性膣炎（例えばカンジダ）、細菌性膣炎及びトリコモナス膣炎を含む。膣炎は陰部からの異臭、分泌物の状態異常、外陰部のかゆみ、さらに疼痛などの悩みを引き起こしやすく、将来の治療の難しさを増やさないように、できるだけ早く治療を求めるべきである。
【０００３】
しかしながら、婦人科診断は、通常、接触式又は侵入式の方法により触診や目視検査を必要とするため、患者の心理及び身体上の不快感を与えやすい。さらに、感染源（例えば細菌や真菌の種類）又は感染源に関連する疾患の種類を特定するために、患部をサンプリングして、ｐｈテストや検体の培養（一般には、２，３日間の時間が必要）を必要とするので、診断結果をタイムリーに取得できず、治療を遅らせることがある。このように、改善しなければならない欠点が存在する。
【０００４】
そこで、上記問題を解決するために、新規且つ進歩性を有する婦人疾患検出用のガス検出システムが必要である。
【考案の概要】
【考案が解決しようとする課題】
【０００５】
本考案の主な目的は、非接触式で検出可能であり、検出結果を素早く取得できる婦人疾患検出用のガス検出システムを提供することである。
【課題を解決するための手段】
【０００６】
上記目的を達成するために、本考案は、女性の陰部の被測定ガスを検出する婦人疾患検出用のガス検出システムを提供する。本考案は、胴部と前記胴部に突設されたヘッドとを含み、前記ヘッドに前記被測定ガスを供給する吸気通路が穿設され、前記胴部が前記吸気通路に連通する検出チャンバ及び排気通路を含む本体と、前記ヘッドに取り外し可能に外嵌され、前記吸気通路に対応する貫通溝を含むスリーブと、少なくとも１つの前記検出チャンバ内に設けられたセンサを含み、前記少なくとも１つのセンサが前記被測定ガスのうちの少なくとも１つの検知対象を検知し、少なくとも１つの検知信号を生成する検出モジュールと、前記本体に設けられ、且つ前記検出チャンバ及び前記排気通路にそれぞれ連通するガスポンプと、前記検出モジュール及び前記ガスポンプの動作を制御し、処理ユニットと、前記処理ユニットに通信する第１通信ユニットとを含み、前記処理ユニットが、前記少なくとも１つの検知信号を受信し、前記第１通信ユニットを制御して前記少なくとも１つの検知信号を送信する制御モジュールとを含む。
【図面の簡単な説明】
【０００７】
【図１】本考案の好ましい実施例の斜視図である。
【図２】本考案の好ましい実施例の分解図である。
【図３】本考案の好ましい実施例の別の視角からの分解図である。
【図４】図１のＡ−Ａ線に沿う断面図である。
【図５】図１のＢ−Ｂ線に沿う部分断面図である。
【図６】本考案の好ましい実施例の部分断面図である。
【図７】本考案の好ましい実施例の操作の模式図である。
【図８】本考案の好ましい実施例の配置のブロック図である。
【図９】本考案の好ましい実施例のステップのブロック図である。
【考案を実施するための形態】
【０００８】
以下、実施例にて本考案の可能な実施形態を説明するが、本考案の特許範囲を制限することを意図していない。
【０００９】
図１〜９には本考案の好ましい実施例が示されている。本考案の婦人疾患検出用のガス検出システムは、女性の陰部の被測定ガスを検出するために用いられ、本体１０、スリーブ２０、検出モジュール３０、ガスポンプ４０及び制御モジュール５０を含む。
【００１０】
該本体１０は、胴部１１と、該胴部１１に突設されたヘッド１２とを含み、該ヘッド１２には該被測定ガスを供給する吸気通路１２１が穿設され、該胴部１１は、該吸気通路１２１に連通する検出チャンバ１１１及び排気通路１１２を含む。該スリーブ２０は、該ヘッド１２に取り外し可能に外嵌され、該吸気通路１２１に対応する貫通溝２１を含む。該検出モジュール３０は、該検出チャンバ１１１内に設けられた少なくとも１つのセンサ３１を含み、該少なくとも１つのセンサ３１は、該被測定ガスのうちの少なくとも１つの検知対象を検知し、少なくとも１つの検知信号を生成する。
該ガスポンプ４０は、該本体１０に設けられ、該検出チャンバ１１１及び該排気通路１１２にそれぞれ連通する。該制御モジュール５０は、該検出モジュール３０及び該ガスポンプ４０の動作を制御でき、処理ユニット５１と、該処理ユニット５１に通信する第１通信ユニット５２とを含み、該処理ユニット５１は、該少なくとも１つの検知信号を受信し、該第１通信ユニット５２を制御して該少なくとも１つの検知信号を送信する。
該被測定ガスは、患者の陰部付近から収集するガスである。例えば、細菌やトリコモナスが繁殖するときにガス及び代謝産物が発生して陰部環境のガスの成分を変えるため、このガス検出システムにより、非接触式で該被測定ガスを収集して婦人疾患を検出することができる。
【００１１】
該胴部１１は、軸方向に延びる直線部１１３と、該直線部１１３から、該軸方向から離れた一側に延びる屈曲部１１４とを含み、該ヘッド１２は該屈曲部１１４に一体的に接続される。このように、該直線部１１３が操作者により握持され、該屈曲部は、該ヘッド１２がサンプリングしようとする部位に対応することを容易にする。例えば、他人に対してサンプリングする場合、操作者は、該ヘッド１２を上向きにし、該吸気通路１２１を該サンプリングしようとする部位に向ける。患者が自分でサンプリングする場合、該ヘッド１２を下向きにし、該吸気通路１２１を該サンプリングしようとする部位に向けることができ、それにより、操作を容易にするために複数の握持方式を提供する。
詳しくは、該スリーブ２０の径方向サイズは、該ヘッド１２から離れた一側に向かうにしたがって減少し、それにより、該サンプリングしようとする部位への接近が容易になる。該スリーブ２０及び該ヘッド１２のうち、少なくとも一方には、該吸気通路１２１に対応する濾材１２２が設けられ、異物の侵入を防止する。本実施例では、該吸気通路１２１の１つのポートに該濾材１２２が向けられる。該濾材１２２は、液体の浸透を防止しながら、ガスを流通可能に維持する防水通気性膜である。
【００１２】
該ガス検出システムは、該本体１０と該スリーブ２０との間に設けられた当接退避機構６０をさらに含む。該当接退避機構６０は、該胴部１１に設けられた押し当て部材６１を含み、該押し当て部材６１は、該ヘッド１２から離れた方向へ該スリーブ２０（図７参照）を押し当てることができる。このようにして、該スリーブ２０を容易に交換できるとともに、衛生性を有し、交差感染を防止できる。好ましくは、該当接退避機構６０は、該本体１０と該押し当て部材６１との間に弾性的に当接する弾性部材６２をさらに含み、該押し当て部材６１をその初期位置に自動的に復帰させることができる。
該スリーブ２０には、好ましくは第１係合部２２が設けられ、該押し当て部材６１及び該ヘッド１２のうち、一方には、該第１係合部２２に係合可能な第２係合部６３が設けられる。このようにして、位置を合わせて組み付けることが容易になり、また、該ヘッド１２に対する該スリーブ２０の回動を防止できる。本実施例では、該スリーブ２０と該ヘッド１２との間には、少なくとも１つの第１シール部材１４ａが設けられ、組み付けを容易にするとともに、気密効果を良好にする。該第１係合部２２はボスであり、該第２係合部６３は該押し当て部材６１に設けられた係合凹部であり、該ボスは該係合凹部に挿入され、該スリーブ２０の当接退避時の脱落を避ける。他の実施例では、該スリーブ及び該ヘッドは、例えば磁気吸着やスナップの方式で組み付けることもでき、該第１係合部には該係合凹部が設けられ、該第２係合部に係合凸部が設けられるようにしても、同様な効果を達成できる。
【００１３】
該本体１０は、収容チャンバ１３と、該検出チャンバ１１１と該収容チャンバ１３との間に連通する第１連通路１１５とをさらに含み、該ガスポンプ４０及び該制御モジュール５０は該収容チャンバ１３に設けられ、該ガスポンプ４０の吸気管路４１は該第１連通路１１５に接続される。該本体１０は、該収容チャンバ１３と該排気通路１１２との間に連通する第２連通路１１６をさらに含み、該ガスポンプ４０の排気管路４２は該第２連通路１１６に接続される。それにより、該ガスポンプ４０を起動させると、該検出チャンバ１１１で負圧を発生させ、さらに、該吸気通路１２１を介して該被測定ガスを吸入し、吸入したガスを、該排気通路１１２を介して排出することができる。このため、生産や組み立てが容易である。
本実施例では、該ガスポンプ４０は、体積が小さく、消費電力が低いマイクロポンプである。該排気通路１１２と該第２連通路１１６との間には、緩衝室１１７がさらに設けられ、図６に示すように、それにより、該ガスポンプ４０が動作を停止し、該少なくとも１つのセンサ３１が検知するときに、該被測定ガスが直接排出しにくく、該第２連通路１１６及び該排気通路１１２は、互いに直交に延び、該緩衝室１１７の対向する両側にそれぞれ連通し、緩衝効果に優れる。該検出チャンバ１１１、該第１連通路１１５、該第２連通路１１６及び該緩衝室１１７はいずれも該本体１０の該ヘッド１２に隣接する一側に位置し、配置空間を減らし、該本体１０の体積を減少できる。
【００１４】
該本体１０は、第１ケース１５、第２ケース１６及び該第１ケース１５と該第２ケース１６との間に介在する第３ケース１７をさらに含み、該第１ケース１５と該第３ケース１７は囲まれて該検出チャンバ１１１、該収容チャンバ１３及び該緩衝室１１７を構成し、これによって、内部部材の配置を容易にする。好ましくは、該第１ケース１５と該第３ケース１７との間に、第２シール部材１４ｂがさらに設けられ、該第２シール部材１４ｂの形状は、少なくとも部分的に該検出チャンバ１１１、該収容チャンバ１３及び該緩衝室１１７の形状に対応する。これにより、該検出チャンバ１１１、該収容チャンバ１３及び該緩衝室１１７を気密に離隔させる。
該第３ケース１７には、該検出チャンバ１１１と該収容チャンバ１３との間にある第１ボス１７１と、該緩衝室１１７と該収容チャンバ１３との間にある第２ボス１７２とが該第１ケース１５に向かって一体に延びて突設され、該第１連通路１１５には該第１ボス１７１が延びて挿通され、該第２連通路１１６には該第２ボス１７２が延びて挿通される。これによって、生産、管部材の組み立てが容易になり、各ガス流路の配置空間が小さくなる。
【００１５】
該制御モジュール５０は、該処理ユニット５１に電気的に接続された給電ユニット５３をさらに含む。該給電ユニット５３は、該収容チャンバ１３に収容された蓄電池５３１と、外部電源が接続する電気的ソケット５３２とを含み、該電気的ソケット５３２は、好ましくは、該少なくとも１つの検知信号を有線で伝送する。好ましくは、該電気的ソケット５３２と該本体１０との間には、第３シール部材１４ｃが設けられ、この場合、液体の浸透を防止し、洗浄や消毒に有利である。詳しくは、該制御モジュール５０は、該処理ユニット５１に電気的に接続されたスイッチ５４及び提示部５５をさらに含む。該スイッチ５４が動作させられると、該処理ユニット５１は、該ガスポンプ４０及び該検出モジュール３０を起動させるように制御し、該提示部５５を制御して少なくとも１つの提示信号を生成し、該操作者がその作動状態を確認できるようにする。
本実施例では、該提示部５５は複数の発光素子を含み、一例として、該ガス検出システムが検出するときに、該処理ユニット５１は該複数の発光素子を制御して持続的に発光させ、該ガス検出システムの電気量が不足する場合、該処理ユニット５１は該複数の発光素子を制御してランプ色を変換する。ただしこれに制限されず、該提示部は音声装置や振動装置としてもよい。
【００１６】
該ガス検出システムは、該処理ユニット５１に通信可能な分析モジュール７２をさらに含み、該分析モジュール７２は、該少なくとも１つの検知信号に基づいて検出結果情報を取得する。本実施例では、該ガス検出システムは外部装置７０をさらに含み、該外部装置７０には、該分析モジュール７２と、該第１通信ユニット５２に通信可能な第２通信ユニット７１とが設けられる。該外部装置７０は、携帯電話、タブレットコンピュータ、ノート型コンピュータなどの電子装置であってもよいが、これらに制限されず、それにより、該検出結果情報を素早く分析して読み取ることができる。
該第１通信ユニット５２及び該第２通信ユニット７１は無線通信であり、該無線通信は無線電波、赤外線、ブルートゥース（登録商標）（Ｂｌｕｅｔｏｏｔｈ）、Ｗｉ−Ｆｉ（登録商標）及びインターネットのうちの少なくともの１つである。該分析モジュール７２は、複数の標準ガススペクトルを記憶するデータベース７２１をさらに含む。該分析モジュール７２は、例えば、人工智能（ＡＩ）アルゴリズムを利用して、該少なくとも１つの検知信号をガススペクトルに変換し、該複数の標準ガススペクトルと比較して該検出結果情報を取得することができる。本実施例では、該少なくとも１つのセンサ３１は、該被測定ガス中の複数のガス分子（複数の該検知対象）と接触し、複数の電気信号（複数の該検知信号）を生成し、該分析モジュール７２は、この複数の電気信号を該被測定ガスのガス成分及び含有量に変換することにより、該ガススペクトルを形成することができる。このため、認識性が高く、反応速度が高い。
各該標準ガススペクトルは、既知のガスを検出することにより得られ（例えば臨床実験の分析結果）、該データベース７２１にあらかじめ構築されている。該データベース７２１は、好ましくはクラウドデータベースであり、該外部装置７０にはアプリケーション（ＡＰＰ）が設けられ、該ＡＰＰは、無線ネットワークを介して直接に該データベース７２１を接続して使用することができる。好ましくは、該検出結果情報をクラウドサーバーにロードすることにより、医療機関により利用して遠隔医療を行うことができる。該複数の検知対象は、例えば、硫化水素、アンモニア、一酸化炭素、二酸化炭素、揮発性有機化合物（ＴＶＯＣ）等のガス分子を含み、各該標準ガススペクトルは少なくとも１つの関連疾患に対応することができる。他の実施例では、該本体は該外部装置に有線で接続されてもよく、該分析モジュールが該本体内に直接設けられ、該外部装置が設けられなくてもよく、該本体には、該処理ユニットに通信する表示装置がさらに設けられてもよい。これにより、該処理ユニットは該表示装置を制御して、該分析モジュールの該検出結果情報に基づいて関連情報を表示させることができ、該処理ユニットは、該第１通信ユニットを制御して、該検出結果情報を外部存取ユニットに出力させて読み取ったり記憶したりすることもできる。
【００１７】
本考案は、前記婦人疾患検出用のガス検出システムを用いた検出方法をさらに提供する。この方法は以下のステップを含む。
サンプリングＳ１：該スリーブ２０を該女性の陰部に接近させて、該ガスポンプ４０を起動させ、該被測定ガスを該検出チャンバ１１１に供給する。
検知Ｓ２：該少なくとも１つの検知対象を検知し、それに基づいて該少なくとも１つの検知信号を生成する。
出力Ｓ３：該少なくとも１つの検知信号を該分析モジュール７２に出力する。
分析Ｓ４：該分析モジュール７２はこの少なくとも１つの検知信号に基づいて検出結果情報を取得する。
【００１８】
該サンプリングステップＳ１では、好ましくは、該スリーブ２０と該女性の陰部との間隔は１ｃｍ〜３０ｃｍの間に維持され、それにより、非接触式サンプリングをして外部の非被測定ガスを吸入しないようにし、該ガスポンプ４０は、起動されてから所定時間後、動作を停止する。該被測定ガスを該検出チャンバ１１１に滞在させて検知を行う。該検知ステップＳ２の後、該ガスポンプ４０は再度起動されて、クリーニングガスを該検出チャンバ１１１に供給し（図９に示すクリーニングステップＳ５）、それにより、該被測定ガスをパージして内部の汚染や次回の検出への干渉を避ける。
本実施例では、該サンプリングステップＳ１の所定時間は、例えば１０秒〜３０秒であり、該クリーニングステップＳ５の該クリーニングガスは、洗浄効果を得るために、例えば持続的に１０秒供給される。該分析ステップＳ４では、該分析モジュール７２は、この少なくとも１つの検知信号を該ガススペクトルに変換し、該ガススペクトルと該複数の標準ガススペクトルとの対応する結果に基づいて該検出結果情報を取得し、それにより、該被測定ガスの検出及び分析を素早く非接触式で実施でき、高速診断の効果を達成する。
【符号の説明】
【００１９】
１０  本体
１１  胴部
１１１  検出チャンバ
１１２  排気通路
１１３  直線部
１１４  屈曲部
１１５  第１連通路
１１６  第２連通路
１１７  緩衝室
１２  ヘッド
１２１  吸気通路
１２２  濾材
１３  収容チャンバ
１４ａ  第１シール部材
１４ｂ  第２シール部材
１４ｃ  第３シール部材
１５  第１ケース
１６  第２ケース
１７  第３ケース
１７１  第１ボス
１７２  第２ボス
２０  スリーブ
２１  貫通溝
２２  第１係合部
３０  検出モジュール
３１  センサ
４０  ガスポンプ
４１  吸気管路
４２  排気管路
５０  制御モジュール
５１  処理ユニット
５２  第１通信ユニット
５３  給電ユニット
５３１  蓄電池
５３２  電気的ソケット
５４  スイッチ
５５  提示部
６０  当接退避機構
６１  押し当て部材
６２  弾性部材
６３  第２係合部
７０  外部装置
７１  第２通信ユニット
７２  分析モジュール
７２１  データベース
Ｓ１〜Ｓ５  ステップ
【図１】
0003232718.tif 000003
【図２】
0003232718.tif 000004
【図３】
0003232718.tif 000005
【図４】
0003232718.tif 000006
【図５】
0003232718.tif 000007
【図６】
0003232718.tif 000008
【図７】
0003232718.tif 000009
【図８】
0003232718.tif 000010
【図９】
0003232718.tif 000011